(57)【要約】【解決手段】電力機器に固定されるブッシングと、このブッシングにより絶縁被覆された接続導体とを備え、ブッシング及び接続導体は、機器接続側とケーブル接続側とに分かれるようにそれぞれ合体可能に分割されている。機器接続側の分割ブッシングは、ガス中終端部、油中終端部、気中終端部のいずれかの終端部を構成し、ケーブル接続側の分割ブッシングは、直形接続部、Ｌ形接続部、分岐形接続部のいずれかの接続部を構成している。【効果】機器接続側の分割ブッシング及びケーブル接続側の分割ブッシングの各種構成を適宜組み合わせて合体することにより、電力機器の種類やケーブルの設置状況等に応じて容易に対応することができる。【選択図】　　図１
2004015990.tif 000002
【特許請求の範囲】
【請求項１】
電力機器に固定されるブッシングと、前記ブッシングにより絶縁被覆され、一端に前記電力機器に接続される機器接続部分及び他端にケーブルに接続されるケーブル接続部分をそれぞれ有する接続導体とを備えたケーブル終端接続部において、
前記ブッシング及び前記接続導体を、機器接続側とケーブル接続側とに分かれるようにそれぞれ合体可能に分割したことを特徴とするケーブル終端接続部。
【請求項２】
請求項１に記載のケーブル終端接続部において、
前記ブッシングの分割面に、ゴム状弾性を有する絶縁スペーサを介在したことを特徴とするケーブル終端接続部。
【請求項３】
請求項２に記載のケーブル終端接続部において、
前記ブッシングはエポキシ系樹脂からなり、前記絶縁スペーサはシリコーンゴムからなることを特徴とするケーブル終端接続部。
【請求項４】
請求項１〜３のいずれかに記載のケーブル終端接続部において、前記機器接続側の分割ブッシングは、ガス中終端部、油中終端部、気中終端部のいずれか１つの終端部を構成するものであることを特徴とするケーブル終端接続部。
【請求項５】
請求項１〜４のいずれかに記載のケーブル終端接続部において、前記ケーブル接続側の分割ブッシングは、直形接続部、Ｌ形接続部、分岐形接続部のいずれかの接続部を構成するものであることを特徴とするケーブル終端接続部。
【発明の詳細な説明】
【０００１】
【発明の属する技術分野】
本発明は、ガス絶縁開閉器（ＧＩＳ）、油中用変圧器等の電力機器に、電力ケーブルを接続するのに好適するケーブル終端接続部に関する。
【０００２】
【従来の技術】
従来、電力機器に電力ケーブルを接続する場合、例えば、図４に示すようなケーブル終端接続部を構成する。すなわち、図４において、電力機器のケーシング１に固定されるブッシング２は、エポキシ樹脂等の絶縁材によりＬ形に成形され、内部に設けられる接続導体３を絶縁被覆するものである。接続導体３は、一端に電力機器に接続される機器接続部分４、同他端に電力ケーブル５に接続されるケーブル接続部分６がそれぞれ形成されている。
ブッシング２は、外周に周溝が設けられ、この周溝に電力機器のケーシング１を嵌合させて固定される。
接続導体３のケーブル接続部分６には開口部が設けられており、この開口部に、端末処理されて露出されたケーブル導体７の端部が挿入され、ストレスコーン８、押し金具９等を介して常法により接合処理することにより電力ケーブル５の接続が行われる。
【０００３】
【発明が解決しようとする課題】
ところで、上記従来の技術には、次のような解決すべき課題があった。
上記したケーブル終端接続部は、電力機器とケーブルとの位置関係が決まっていて１本のケーブルを特定された方向にだけしか取付けられない。
しかるに、電力機器によっては２本のケーブルを取付ける必要があったり、また電力機器内に位置する終端部の構造として、周知のガス中終端部、油中終端部、気中終端部のいずれかの構造を要求される場合がある。
【０００４】
このため、従来例えば、特開平４ー１４１９６８号公報にも示されるように、予め接続導体の一端に、ケーブル導体受入れ用開口を備えた２つのケーブル接続部分を設けておいて、これを、１本のケーブルを接続する電力機器用と、２本のケーブルを接続する電力機器用とに兼用することも行われている。
そして、これを１本のケーブルだけを接続するタイプの電力機器に使用する場合は、一方のケーブル接続部分のみを使用し、他方のケーブル接続部分の開口には栓体を挿入し蓋を被せておく等の措置を行っている。
【０００５】
しかし、このような兼用タイプのケーブル終端接続部は、１本のケーブルを接続する電力機器用として使用した場合は、不要の構造を有することになるので大型化し不経済である。しかも、電力機器内に位置するブッシングの他の構造、すなわち、ガス中終端部、油中終端部、気中終端部のいずれかの構造の要求には対応していない。
また、予め電力機器の種類やケーブルの設置状況等に応じられるように多種形態の終端接続部を製作できるようにしておく必要があった。
【０００６】
本発明は、以上の点に着目してなされたもので、電力機器の種類やケーブルの設置状況等に対して容易に対応することができるケーブル終端接続部を提供することを目的とする。
【０００７】
【課題を解決するための手段】
本発明は、上記の目的を達成するため次の構成を採用する。
〈構成１〉
電力機器に固定されるブッシングと、上記ブッシングにより絶縁被覆され、一端に上記電力機器に接続される機器接続部分及び他端にケーブルに接続されるケーブル接続部分をそれぞれ有する接続導体とを備えたケーブル終端接続部において、上記ブッシング及び上記接続導体を、機器接続側とケーブル接続側とに分かれるようにそれぞれ合体可能に分割したことを特徴とするケーブル終端接続部。
【０００８】
〈構成２〉
構成１に記載のケーブル終端接続部において、上記ブッシングの分割面に、ゴム状弾性を有する絶縁スペーサを介在したことを特徴とするケーブル終端接続部。
【０００９】
〈構成３〉
構成２に記載のケーブル終端接続部において、上記ブッシングはエポキシ系樹脂からなり、上記絶縁スペーサはシリコーンゴムからなることを特徴とするケーブル終端接続部。
【００１０】
〈構成４〉
構成１〜３のいずれかに記載のケーブル終端接続部において、上記機器接続側の分割ブッシングは、ガス中終端部、油中終端部、気中終端部のいずれか１つの終端部を構成するものであることを特徴とするケーブル終端接続部。
【００１１】
〈構成５〉
構成１〜４のいずれかに記載のケーブル終端接続部において、上記ケーブル接続側の分割ブッシングは、直形接続部、Ｌ形接続部、分岐形接続部のいずれかの接続部を構成するものであることを特徴とするケーブル終端接続部。
【００１２】
【発明の実施の形態】
以下、本発明の実施の形態を具体例を用いて説明する。
図１は、本発明のケーブル終端接続部の一実施例を示す縦断面図である。
ここでは、ガス中Ｔ形分岐終端接続部を例にとって説明する。図１に示すように、この接続部は、接続導体１０をブッシング１１により絶縁被覆し、接続導体１０の一端に、電力機器に接続される機器接続部分１２、同他端に、２本の電力ケーブルに接続される２つのケーブル接続部分１３、１４をそれぞれ備えている。
【００１３】
そして、ブッシング１１及び接続導体１０は、機器接続側とケーブル接続側とに分かれるようにそれぞれ合体可能に２分割されている。
分割された接続導体の分割面１５は、一方の導体端面に設けた凹部に、他方の導体端部を直線状に差し込むことにより電気的に導通される接合構造とされている。
【００１４】
接続導体１０の一端のケーブル接続部分１３、１４には、２本の電力ケーブルをそれぞれ接続しうるように９０度の角度で分岐された２つの開口部１６、１７が設けられている。これらの開口部は、ケーブル導体を差込んで常法により接続するのに適した周知形状をなすものである。接続導体の他端の機器接続部分１２も、電力機器との接続に適した周知形状をなしている。
【００１５】
ブッシング１１の成形材として電気絶縁性、成形性、機械的強度等に優れたエポキシ系樹脂が用いられている。しかし、分割されたエポキシ系樹脂製のブッシングの分割面において、エポキシ系樹脂同士を直接接触させると、両者の境界面が破損し易くなり、また、この境界面が密着していないと、所要の電気的絶縁特性が維持できないという支障をきたす。このため、ブッシングの分割面には、ゴム状弾性を有する絶縁材料からなる絶縁スペーサ１８を介在することが望ましい。
なお、絶縁スペーサ１８は、この実施例では円板状をなしているが、ブッシングの分割面の形状が異なってくる場合にはその形状に適合する構造とされる。
【００１６】
絶縁スペーサとしては、シリコーンゴム、ＥＰゴム、フッ素ゴム等により成形することが考えられるが、誘電率を考慮するとシリコーンゴムとＥＰゴムが好ましく、さらに高温下における絶縁破壊強度も考慮した場合はシリコーンゴムが最も好ましい。
シリコーンゴムは、絶縁破壊特性と誘電率ではＥＰゴムと同等の特性を備え、かつ、摂氏１０５度といった高温において圧縮された状態でも、長期間一定以上のゴム弾性を維持することができる。
【００１７】
機器接続側の分割ブッシング１１Ａは周知構造のガス中終端部に構成され、ケーブル接続側の分割ブッシング１１Ｂは周知構造のＴ形分岐接続部に構成されている。
機器接続側の分割ブッシングは、外周に周溝１９が設けられ、この周溝１９に電力機器のケーシング１を嵌合させて固定される。
それぞれ分割されたブッシング及び接続導体は、合体後、ブッシングの外面に取付けられた複数の取付ボルト２０を締付けることにより、固定されて両者が相互に電気的機械的に接続されている。
【００１８】
上記実施例は、以上のように構成されるが、取付ボルト２０を取り外すことにより、気中盤、ガス絶縁開閉器（ＧＩＳ）、油中用変圧器等の電力機器の種類や、狭隘なケーブルの設置状況、耐圧用課電状況等に応じて機器接続側の分割ブッシングを、周知構造の油中、気中のいずれかの終端部に構成したものと交換することができる。また、ケーブル接続側の分割ブッシングを、ケーブルの取付け状況に応じた周知構造の直形、Ｌ形のいずれかの接続部に構成したものと交換することができる。
【００１９】
すなわち、図２には機器接続側の分割ブッシングとして油中終端部に構成したものと、ケーブル接続側の分割ブッシングとしてＬ形接続部に構成したものとを合体してなるケーブル終端接続部を示している。図２には図１と共通する部分に同一符号を付している。
図２に示すように、このケーブル終端接続部は、接続導体１０を油中用の細長のブッシング１１により絶縁被覆し、接続導体１０の一端に、１本の電力ケーブルに接続される１つのケーブル接続部分１３をそれぞれ備えている。
【００２０】
そして、ブッシング１１と接続導体１０とは、機器接続側とケーブル接続側とに分かれるようにそれぞれ合体可能に２分割されている。分割された接続導体の分割面１５は、一方の導体端面に設けた凹部に、他方の導体端部を直線状に差し込むことにより電気的に導通される接合構造とされている。ブッシングの分割面には、絶縁スペーサ１８を介在している。
【００２１】
接続導体１０の一端のケーブル接続部分１３には、１本の電力ケーブルを接続する開口部１６が設けられている。これらの開口部１６はケーブル導体を差込んで常法により接続するのに適した周知形状をなすものである。接続導体の他端の機器接続部分１２も、油中用の電力機器との接続に適した周知形状をなしている。
【００２２】
また、図３に、機器接続側の分割ブッシングとして気中終端部に構成したものと、ケーブル接続側の分割ブッシングとしてＴ形分岐接続部に構成したものとを合体してなるケーブル終端接続部を示している。図３には図１と共通する部分に同一符号を付している。
図３に示すように、このケーブル終端接続部は、接続導体１０を碍管からなるブッシング１１により絶縁被覆し、接続導体１０の一端に、気中用の電力機器に接続される機器接続部分１２、同他端に、２本の電力ケーブルに接続される２つのケーブル接続部分１３を備えている。
【００２３】
ブッシング１１及び接続導体１０は、機器接続側とケーブル接続側とに分かれるようにそれぞれ合体可能に２分割され、分割された接続導体の分割面１５は、一方の導体端面に設けた凹部に、他方の導体端部を直線状に差し込むことにより電気的に導通される接合構造とされている。
【００２４】
接続導体１０の一端のケーブル接続部分１３には、２本の電力ケーブルをそれぞれ接続しうるように１８０度の角度で分岐された２つの開口部１６、１７が設けられている。これらの開口部１６、１７は、ケーブル導体を差込んで常法により接続するのに適した周知形状をなすものである。接続導体の他端の機器接続部分１２も、気中用の電力機器との接続に適した周知形状をなしている。
【００２５】
なお、図２及び図３に示した接続部では、絶縁スペーサ１８の材料、機器接続側の分割ブッシング１１Ａの外周に設けられた周溝１９、分割されたブッシング及び接続導体を合体させる複数の取付ボルト２０は、図１に示した構造のものと同一趣旨であるので、同一符号を付してそれらの説明を省略する。
【００２６】
【発明の効果】
以上説明したように、ブッシング及び接続導体を、機器接続側とケーブル接続側とに分かれるようにそれぞれ接離自在に分割し、機器接続側の分割ブッシングとケーブル接続側の分割ブッシングとをそれぞれ各種を適宜組み合わせることにより、電力機器の種類やケーブルの設置状況等に応じて容易に対応することができる。
【図面の簡単な説明】
【図１】本発明に係るケーブル終端接続部の一実施例を示す縦断面図である。
【図２】本発明の第２の実施例を示す縦断面図である。
【図３】本発明の第３の実施例を示す縦断面図である。
【図４】従来のケーブル終端接続部を示す縦断面図である。
【符号の説明】
１　ケーシング
２　ブッシング
３　接続導体
４　機器接続部分
５　電力ケーブル
６　ケーブル接続部分
７　ケーブル導体
８　ストレートコーン
９　押し金具
１０　接続導体
１１　ブッシング
１２　機器接続部分
１３、１４　ケーブル接続部分
１５　接続導体の分割面
１８　絶縁スペーサ
１９　周溝
【図１】
2004015990.tif 000003
【図２】
2004015990.tif 000004
【図３】
2004015990.tif 000005
【図４】
2004015990.tif 000006